(57)【特許請求の範囲】
【請求項１】
折線を介した４面の周面により真中の角柱ボックスを形成する１枚の展開板と、折線を介した４面の周面により両側の角柱ボックスを形成する２枚の展開板と、前記真中の前記角柱ボックス及び前記両側の前記角柱ボックスを連結するための１枚の連結板とより製作され、
前記２枚及び前記１枚の前記展開板並びに前記連結板の縦幅を互いに同一に設定し、前記連結板の横幅を、前記真中の前記角柱ボックスの対向するコーナ部に前記両側の前記角柱ボックスの内側のコーナ部がそれぞれ隣接したボックス連設状態で前記連結板の両側縁が前記両側の前記角柱ボックスの外側のコーナ部に当接するように設定し、
前記内側の前記コーナ部が隣接する前記真中の前記角柱ボックスの両側の前記コーナ部の前記折線には、半分の縦幅位置まで縦方向に切込まれたスリットを形成し、前記連結板の横方向中央位置に折畳用折線を形成すると共に、この折線の両側に前記スリットが差し込まれるように半分の縦幅位置まで縦方向に切込まれたスリットを形成し、
組立に際して、前記１枚の前記展開板の側縁の貼着片を貼着して前記真中の前記角柱ボックスを形成し、その前記スリットと前記連結板の前記スリットとを互いにさし込むと共に、前記折畳用折線に形成されたスリットに、このスリットに対向する前記真中の前記角柱ボックスのコーナ部に突設された係止板を係入して前記折畳用折線の折れ曲りを拘束し、さらに前記２枚の前記展開板の側縁の貼着片を前記両側の前記角柱ボックスを形成するように前記ボックス連設状態に連結板に貼着し、
前記両側の前記角柱ボックス内に位置している前記連結板の上方部分の紐穴を通して前記両側の前記外側のコーナ部の下方部分に端部が接続している紐で上方へ吊すことを特徴とする立体装飾板。
【発明の詳細な説明】
【０００１】
【発明の属する技術分野】
本発明は、厚紙等の折曲げ可能なシートにより製作される立体装飾板に関するものである。
【０００２】
【従来の技術】
店内等を装飾するための厚紙で製作された上方から吊すひれ状の装飾板、或は立体的に組み立てられた装飾板は種々周知である。
【０００３】
【発明が解決しようとする課題】
本発明は、折曲げ加工可能な厚紙等のシートを用いて簡単に製作される周面のみで形成する立体装飾板を提供することを目的とする。
【０００４】
【課題を解決するための手段】
本発明は、この目的を達成するために、請求項１により、折線を介した４面の周面により真中の角柱ボックスを形成する１枚の展開板と、折線を介した４面の周面により両側の角柱ボックスを形成する２枚の展開板と、真中の角柱ボックス及び両側の角柱ボックスを連結するための１枚の連結板とより製作され、２枚及び１枚の展開板並びに連結板の縦幅を互いに同一に設定し、連結板の横幅を、真中の角柱ボックスの対向するコーナ部に両側の角柱ボックスの内側のコーナ部がそれぞれ隣接したボックス連設状態で連結板の両側縁が両側の角柱ボックスの外側のコーナ部に当接するように設定し、内側のコーナ部が隣接する真中の角柱ボックスの両側のコーナ部の折線には、半分の縦幅位置まで縦方向に切込まれたスリットを形成し、連結板の横方向中央位置に折畳用折線を形成すると共に、この折線の両側にスリットが差し込まれるように半分の縦幅位置まで縦方向に切込まれたスリットを形成し、組立に際して、１枚の展開板の側縁の貼着片を貼着して真中の角柱ボックスを形成し、そのスリットと連結板のスリットとを互いにさし込むと共に、折畳用折線に形成されたスリットに、このスリットに対向する真中の角柱ボックスのコーナ部に突設された係止板を係入して折畳用折線の折れ曲りを拘束し、さらに２枚の展開板の側縁の貼着片を両側の角柱ボックスを形成するようにボックス連設状態に連結板に貼着し、両側の角柱ボックス内に位置している連結板の上方部分の紐穴を通して両側の外側のコーナ部の下方部分に端部が接続している紐で上方へ吊すことにより、上下面が開口した３個の角柱ボックスが連設された立体装飾板が製作される。紐で上方へ吊すと、連結板の両側縁が両側の角柱ボックスの外側のコーナ部に当接して両側の角柱ボックスが形成される。
【０００５】
【発明の実施の形態】
図１及び図２を基に本発明の実施の形態の一例による立体装飾板を説明する。この立体装飾板は、折線１２を介した４個の同一横幅の周面板１０ａ〜１０ｄにより両側の断面正方形の角柱ボックス１９を形成する２枚の厚紙の展開板１０と、折線２２を介した４個の周面板２０ａ〜２０ｄにより真中の同一形状の断面正方形の角柱ボックス２９を形成する１枚の厚紙の展開板２０と、両側の角柱ボックス１９及び真中の角柱ボックス２９の対向するコーナ部を横断する１枚の厚紙の連結板３０と、この連結板を係止するための一枚の厚紙の係止板４０とより製作される。
【０００６】
展開板１０の両側の側縁部分には、折線１１ａを介して貼着片１１が連設されている。真中の折線１２の下方部分には、紐穴１５が形成されている。
【０００７】
展開板２０の一方の側縁部分には、折線２１ａを介して貼着片２１が連設されている。真中の折線２２に対して両側の折線２２には、連結板３０の後述するスリット３３とで互いに差し込み合うように下縁から切込まれたスリット２３と、同様に後述するその係入片３６を係入させるためのスリット２４とが形成されている。
【０００８】
連結板３０には横方向の真中位置に折り畳み用の折線３１が形成され、その中央部に後述の係入片４４を係入させるスリット３２が形成されている。真中の折線２２に対して角柱ボックス１９の対向するコーナ部間の距離の半分に相当する両側位置には、上縁から切込まれた差し込み用スリット３３が形成され、その上端部にはスリット３３に連通する係入片３６が切目により形成されている。さらに、スリット３３より外側の連結板３０の両側の上方部分には、紐穴３９が設けられている。
【０００９】
展開板１０、２０、連結板３０及び係止板４０の縦幅は互いに同一である。  連結板３０の横幅Ｗ１は、前述の同一形状の角柱ボックス１９、２９の対向するコーナ部間の距離の３倍に設定されている。係止板４０の横幅Ｗ２は、前述の対向するコーナ部間の距離の半分に設定されている。展開板２０のスリット２３はその半分の縦幅位置に達するように切込まれ、連結板３０のスリット３３は係入片３６を通して同様に半分の縦幅位置に達している。
【００１０】
係止板４０の一方の側縁には係入片４４が延設され、その上下の基部にスリット状の係入溝４５が形成されている。さらに、他方の側縁の折線４１を介して貼着片４２が連設されている。
【００１１】
組立に際しては、展開板２０の貼着片２１を反対側端部の側面板２０ａの側部に貼着して各折線２２で折曲げて真中の角柱ボックス２９を形成し、さらに係止板４０の貼着片４２を折線４１で折曲げて貼着片２１に隣合う側面板２０ｄの側部に貼着する。次いで、連結板３０の両側のスリット３３を角柱ボックス２９の両側のスリット２３に下方から差し込む。その際、連結板３０の係入片３６をスリット２４に係入させて縦方向の差し込み位置を拘束させる。両側の貼着片３８を折線３７で起して側面板２０ｃの側端部に貼着する。
【００１２】
続いて、角柱ボックス２９に互いのコーナ部が隣り合うように２枚の展開板１０を各折線１２で折曲げて角柱ボックス１９を形成して、それぞれの両側の貼着片１１を折線１１ａで折曲げて連結板３０の表裏両面に貼着する。係止板４０の係入片４４をスリット３２に係入させて上下の係入溝４５をスリット３２の上下端部に係合させることにより連結板３０の折線３１での折れ曲りを拘束する。
【００１３】
図２に示すように、紐４９を紐穴３９に通して両側の紐穴１５にかしめ片４９ａで取付けた状態で吊して自重により緊張状態にすると、角柱ボックス１９の外側のコーナ部が連結板３０の両側縁に当接してその四角柱状が確保される。
【００１４】
格納状態では両側の角柱ボックス１９の側面板１０ａ〜１０ｄを対接するように折り畳み、係入片４４を外した状態で連結板３０の真中の折線３１で折り畳むと共に角柱ボックス２９の側面板２０ａ〜２０ｄを対接するように折り畳んで全体を平坦に折り畳む。
【００１５】
各側面板１０ａ〜１０ｄ、２０ａ〜２０ｄには、店内の状況に適合する色で着色したり、或は模様を付すことができる。また、真中の角柱ボックス及び両側の角柱ボックスは、菱形にすることもでき、さらに両側の角柱ボックスのみを菱形にする等種々の変形例が考えられる。真中の角柱ボックスのコーナ部に突設される係止板は、その展開板に連設させることもできる。
【００１６】
【発明の効果】
本発明によれば、上下が開口した周面のみにより形成される連設ボックス型の吊り下げ式の立体装飾板が、厚紙等の簡単な加工及び組立で製作される。
【図面の簡単な説明】
【図１】  本発明の実施の形態による立体装飾板の組立前の展開状態での平面図である。
【図２】  同立体装飾板の組立状態での斜視図である。【符号の説明】
１０、２０  展開板
１１、２１  貼着片
１９、２９  角柱ボックス
２２  折線
３０  連結板
３１  折り畳み用折線
３９  紐
４０  係止板
【図１】
0004223116.tif 000002
【図２】
0004223116.tif 000003